(57)【要約】【課題】筒状編地の編成途中において、当該筒状編地の内周面の全周に亘って連結された隔壁状の編地を一連に編成した隔壁状編地部を有する筒状編地及びその編成方法の提供を目的とする。【解決手段】本発明に係る隔壁状編地部を有する筒状編地の編成方法は、編針を進退摺動可能に設けた針床を少なくとも前後一対設けた横編機で編成され、筒状の編地本体に当該編地本体の内方に隔壁状の編地を一連に編成する隔壁状編地部を有する筒状編地の編成方法であって、編地本体を形成する少なくとも一方の針床の編地から引き返し編成を行い、その引き返し編成による編地部分を編地本体に連結させた状態でその編み幅を変更させることにより、編地本体の内周面に全周に亘って連結された隔壁状編地部を編成するようにしたことを特徴とするものである。【選択図】図２
2009155750.tif 000002
【特許請求の範囲】
【請求項１】
編針を進退摺動可能に設けた針床を少なくとも前後一対設けた横編機で編成され、前針床の編針に係止する前編地と後針床の編針に係止する後編地とが左右両端で接続された筒状の編地本体に、当該編地本体の内方に隔壁状の編地を一連に編成する隔壁状編地部を有する筒状編地の編成方法であって、
編地本体を形成する少なくとも一方の針床の編地から引き返し編成を行い、その引き返し編成による編地部分を編地本体に連結させた状態でその編み幅を変更させることにより、編地本体の内周面に全周に亘って連結された隔壁状編地部を編成するようにしたことを特徴とする隔壁状編地部を有する筒状編地の編成方法。
【請求項２】
編針を進退摺動可能に設けた針床を少なくとも前後一対設けた横編機で編成され、前針床の編針に係止する前編地と後針床の編針に係止する後編地とが左右両端で接続された筒状の編地本体に、当該編地本体の内方に隔壁状の編地を一連に編成する隔壁状編地部を有する筒状編地の編成方法であって、
前後の針床の空針に給糸して所定幅の編み出し部を形成し、編み出し部から前後の針床にそれぞれ個別のキャリアで給糸して引き返し編成を行うとともに、その引き返し編成による編地部分の編み幅を変更し、該引き返し編成による編地部分を編地本体の内周面に全周に亘って連結することにより編地本体の内方に隔壁状編地部を編成するようにしたことを特徴とする隔壁状編地部を有する筒状編地の編成方法。
【請求項３】
編針を進退摺動可能に設けた針床を少なくとも前後一対設けた横編機で編成され、前針床の編針に係止する前編地と後針床の編針に係止する後編地とが左右両端で接続された筒状の編地本体と、当該編地本体を編成する少なくとも一方の針床で編成される編地本体から分岐され、引き返し編成を行うとともにその編地幅を変更させ、周縁部が編地本体の内周面の全周に亘って連結されることにより編成されて隔壁を形成する隔壁状編地部とを備えてなる隔壁状編地部を有する筒状編地。
【発明の詳細な説明】
【技術分野】
【０００１】
本発明は、横編機で編成される筒状編地及びその編成方法に係り、更に詳しくは隔壁状の編地部分を有する筒状編地及びその編成方法に関するものである。
【背景技術】
【０００２】
従来、筒状編地の内方に隔壁状の編地部分を一連に編成する方法の一例として、図７に示すように、筒状編地の下端部を閉塞した状態の筒状編地及びその編成方法が公知となっている。
この下端部を閉塞した状態の筒状編地７は、筒状の編地本体８の下端部を閉塞するための底部９を形成する編地の中央部に編み出し部Ｕを形成し、この編み出し部Ｕから前後針床の編針にそれぞれ給糸し図７において矢印Ｓで示す方向に編成することで底部９を形成する編地を編成し、この底部９に連続して筒状の編地本体８を編成するというものである。
【０００３】
また、下記特許文献１には、筒状編地の上部開口を閉塞するよう筒状編地の上端部において前後編地を奥行きを持たせつつ立体的に接続する方法が開示されている。
【０００４】
【特許文献１】特許３９８３７３３号公報
【発明の開示】
【発明が解決しようとする課題】
【０００５】
しかしながら、従来の編成方法では、筒状編地の上端部または下端部を閉塞することは可能であっても、筒状編地の編成途中において当該筒状編地の内方に、内周面の全周に亘って連結された隔壁状の編地部分を一連に編成することはできなかった。
【０００６】
本発明は、上記した従来の問題点に鑑みてなされたものであって筒状編地の編成途中において、当該筒状編地の内周面の全周に亘って連結された隔壁状の編地を一連に編成した隔壁状編地部を有する筒状編地及びその編成方法の提供を目的とする。
【課題を解決するための手段】
【０００７】
上記目的を達成するために、本発明に係る隔壁状編地部を有する筒状編地の編成方法は、編針を進退摺動可能に設けた針床を少なくとも前後一対設けた横編機で編成され、前針床の編針に係止する前編地と後針床の編針に係止する後編地とが左右両端で接続された筒状の編地本体に、当該編地本体の内方に隔壁状の編地を一連に編成する隔壁状編地部を有する筒状編地の編成方法であって、編地本体を形成する少なくとも一方の針床の編地から引き返し編成を行い、その引き返し編成による編地部分を編地本体に連結させた状態でその編み幅を変更させることにより、編地本体の内周面に全周に亘って連結された隔壁状編地部を編成するようにしたことを特徴とするものである。
【０００８】
また、本発明に係る隔壁状編地部を有する筒状編地の編成方法は、前記横編機で編成され、前記編地本体に、当該編地本体の内方に隔壁状の編地を一連に編成する隔壁状編地部を有する筒状編地の編成方法であって、前後の針床の空針に給糸して所定幅の編み出し部を形成し、編み出し部から前後の針床にそれぞれ個別のキャリアで給糸して引き返し編成を行うとともに、その引き返し編成による編地部分の編み幅を変更し、該引き返し編成による編地部分を編地本体の内周面に全周に亘って連結することにより編地本体の内方に隔壁状編地部を編成するようにしたことを特徴とするものである。
【０００９】
そして、本発明に係る隔壁状編地部を有する筒状編地は、前記横編機で編成され、前針床の編針に係止する前編地と後針床の編針に係止する後編地とが左右両端で接続された筒状の編地本体と、当該編地本体を編成する少なくとも一方の針床で編成される編地本体から分岐され、引き返し編成を行うとともにその編地幅を変更させ、周縁部が編地本体の内周面の全周に亘って連結されることにより編成されて隔壁を形成する隔壁状編地部とを備えてなる隔壁状編地部を有する筒状編地である。
【発明の効果】
【００１０】
本発明に係る隔壁状の編地部分を有する筒状編地の編成方法は、編地本体を形成する少なくとも一方の針床の編地から引き返し編成を行い、その引き返し編成による編地部分を編地本体に連結させた状態でその編み幅を変更させることにより、編地本体の内周面に全周に亘って連結された隔壁状編地部を編成するようにしたので、筒状編地の上端または下端のみならず編成途中の位置においても、編地本体の内方に隔壁状の編地を一連に編成する隔壁状編地部を形成することができる利点がある。
【００１１】
また、前後の針床の空針に給糸して所定幅の編み出し部を形成し、編み出し部から前後の針床にそれぞれ個別のキャリアで給糸して引き返し編成を行うとともに、その引き返し編成による編地部分の編み幅を変更し、該引き返し編成による編地部分を編地本体の内周面に全周に亘って連結することにより編地本体の内方に隔壁状編地部を編成するようにした場合は、同様に編成途中で隔壁状編地部の形成が可能となる。
【００１２】
そして、本発明に係る筒状編地は、編針を進退摺動可能に設けた針床を少なくとも前後一対設けた横編機で編成され、前針床の編針に係止する前編地と後針床の編針に係止する後編地とが左右両端で接続された筒状の編地本体と、当該編地本体を編成する少なくとも一方の針床で編成される編地本体から分岐され、引き返し編成を行うとともにその編地幅を変更させ、周縁部が編地本体の内周面の全周に亘って連結されることにより編成されて隔壁を形成する隔壁状編地部とを備えてなる隔壁状編地部を有するので、筒状編地の編成途中内方に隔壁状の編地部分を有する筒状編地の提供が可能となり、内部に仕切りを有するニット製の鞄などの提供が可能となる。
【発明を実施するための最良の形態】
【００１３】
以下、本発明に係る隔壁状の編地部分を有する筒状編地及びその編成方法の最も好ましい実施の形態を図面に基づいて説明する。尚、以下に述べる実施例１〜３では、図示は省略したが、編針を進退摺動可能に設けた針床を少なくとも前後一対設けた横編機を使用し、前後の針床を付き合わせた状態で、前後両方の針床の編針に１ピッチおきに空針にした「針抜き」により糸を供給して、筒状編地を編成するが、針床を４枚有するいわゆる４枚ベッドの横編機を使用してもよい。
【００１４】
また、実施例１〜３において、図２，４，６は各実施例に係る筒状編地の編成方法を示し、図中、左側の数字は編成のステップを示し、各ステップにおけるＢは後方の針床、Ｆは前方の針床として示している。
そして、英大文字Ａ，Ｂ，Ｃ，・・・，Ｒは後方の針床Ｂの編針を示し、英小文字ａ，ｂ，ｃ，・・・，ｒは前方の針床Ｆの編針を示し、各ステップ中、数字５，６を記した三角マークはキャリア５，６を示す。
更に、キャリア５，６から給糸されて形成される編目又は掛目は実線で示し、旧ループは白丸で示す。
尚、各ステップにおいては便宜上、前後針床Ｂ，Ｆの編針を示す大小英文字は適宜省略してあり、その編針の数も説明の便宜上、実際の数よりも少なく表示してあり、白丸で示す旧ループについても適宜省略して示している。
（実施例１）
【００１５】
図１は、筒状編地１ａの斜視図であり、前針床の編針に係止する前編地２ａと後針床の編針に係止する後編地２ｂとが左右両端で接続された編地本体４ａの内方の下部、中央部及び上部にそれぞれ編地本体４ａに一連に編成された隔壁状編地部３ａ，３ｂ，３ｃが形成された状態を示している。
【００１６】
そして、本実施例１に係る隔壁状編地部３ａ，３ｂ，３ｃは、編地本体４ａを形成する一方の針床である前針床の編針に係止する前編地２ａから分岐され、その引き返し編成による編地部分を前編地２ａに連結させた状態でその編み幅を変更させて略円形状に形成した後、この引き返し編成による編地部分の編目を他方の針床である後針床の編針に目移しすることにより、編地本体４ａの内周面に全周に亘って接続された隔壁状編地部３ａ，３ｂ，３ｃを形成している。
【００１７】
図２は、本実施例１に係る編地本体４ａと隔壁状編地部３ａ，３ｂ，３ｃとを編成する場合の編成方法をステップＡ１〜Ａ９で示した説明図である。
実施例１では、編地本体４ａおよび隔壁状編地部３ａ，３ｂ，３ｃは一つのキャリア５だけを用いて編成されている。
【００１８】
ステップＡ１は、編地本体４ａを所定量の周回編成によって筒状に形成し、後編地２ｂは後針床Ｂの編針Ｂ〜Ｒを用い、前編地２ａは前針床Ｆの編針ａ〜ｑを用いて各々針抜きした状態で編成する。
ステップＡ２は、隔壁状編地部３ａ，３ｂ，３ｃを形成する際、前編地２ａを係止する前針床Ｆの編針ａ〜ｑに係止している編目をニットするとともに、前針床Ｆの空針ｂ〜ｒに対し掛目を形成する状態を示しており、この編針ｂ〜ｒに係止した掛目は前編地２ａから分岐して隔壁状編地部３ａ，３ｂ，３ｃを形成していく。
【００１９】
ステップＡ３は、ステップＡ２で掛目を形成した前針床Ｆの編針ｂ〜ｒのうち、キャリア５があった右端から前編地２ａの略中央部分までの編針ｈ，ｊ，ｌ，ｎ，ｐ，ｒを編成しながら左方に引き返す。
尚、その際、前編地２ａの編目を係止する前針床Ｆの編針ａ〜ｑは前編地２ａの編目を係止したままの状態を維持する。
【００２０】
ステップＡ４は、前針床Ｆの編針ｆ，ｈ，ｊ，ｌについて、編地幅を拡大させる際の一般的な引き返し編成を行う状態を示す。
即ち、編針ｆはタックし、編針ｈ，ｊ，ｌはニットしながら右方に引き返しており、図示は省略するが、ステップＡ４に続いて左方に引き返す際には編針ｎはタックし編針ｆ，ｈ，ｊ，ｌはニットする。
【００２１】
そして、ステップＡ５は、ステップＡ４と同じく右方への引き返しを行う際に前針床Ｆの編針ｄについてタックし編針ｆ，ｈ，ｊ，ｌ，ｎをニットする状態を示し、その後の左方への引き返しの際にも編針ｐにタックを行う（図示省略）。
ステップＡ６は、前針床Ｆの編針ｂについてタックし、編針ｄ，ｆ，ｈ，ｊ，ｌ，ｎ，ｐをニットする状態を示し、このようにして引き返し編成による編地部分の編地幅を徐々に拡大させ、ステップＡ７で編針ｂ〜ｒをニットし、これによりステップＡ２で掛目を形成した全ての編針ｂ〜ｒを用いて引き返し編成が行われる。
【００２２】
続いて、ステップＡ７，Ａ６，Ａ５，Ａ４のように編成を行って、引き返し編成による編地部分の編地幅を徐々に縮小させ、ステップＡ４に示すように、引き返し編成を行う編針をｆ，ｈ，ｊ，ｌとする。
そして、ステップＡ８は、前針床Ｆの編針ｂ，ｄ，ｆ及びｎ，ｐ，ｒに係止しているタック目と編針ｈ，ｊ，ｌに係止している編目とをニットした後の旧ループを示し、ステップＡ９はこの前針床Ｆの旧ループを対向する後針床Ｂの編針Ｂ〜Ｒに目移しした状態を示す。
この目移しした編目と、ステップＡ１で後針床Ｂの編針Ｂ〜Ｒに係止されていた後編地２ｂの編目とをニットすることで引き返し編成により形成された編地部分を後編地２ｂに接続する。
【００２３】
これにより、引き返し編成による編地部分を編地本体４ａの内周面に全周に亘って連結することができ、編地本体４ａの内方に隔壁状の編地を一連に編成する隔壁状編地部を形成することが可能となる。
更に、隔壁状編地部を形成した後、ステップＡ１に示す周回編成を行うことで、筒状編地の端部ではない編成途中の位置にも隔壁状編地部を形成することができ、編成途中の複数個所となる図１に示す筒状編地１ａの下部、中部、上部に隔壁状編地部３ａ，３ｂ，３ｃを形成することも可能となる。
【００２４】
尚、上記の実施例１においては、隔壁状編地部３ａ，３ｂ，３ｃを前編地２ａから分岐するよう前針床Ｆの編針を用いて編成したが、これに限定されず、隔壁状編地部３ａ，３ｂ，３ｃを後編地２ｂから分岐するよう引き返し編成し前編地２ａに接続してもよい。
また、上記実施例１では、ステップＡ８に示す旧ループをステップＡ９で目移しして後編地２ｂを形成する編目に隔壁状編地部３ａ，３ｂ，３ｃを形成する編目を重ねることで後編地２ｂと隔壁状編地部３ａ，３ｂ，３ｃを接続したが、ラッキングを行って引き返し編成による編地部分の編目を後針床Ｂの空針Ａ〜Ｑに目移しし、後針床Ｂの編針Ｂ〜Ｒに係止する後編地２ｂと引き返し編成による編地部分とで編目を形成し、接続してもよい。
（実施例２）
【００２５】
図３は、本実施例２に係る筒状編地１ｂの斜視図である。
本実施例２においても上記実施例１と同様針抜き編成により行われ、編地本体４ｂの内方に形成された隔壁状編地部３ｄ，３ｅ，３ｆは、略円形状の隔壁状編地部３ｄ，３ｅ，３ｆの中央部に一点鎖線で示す編み出し部Ｗを形成し、この編み出し部Ｗから前後の針床にそれぞれ個別のキャリアで給糸して引き返し編成を行うとともに、その引き返し編成による編地部分の編み幅を変更する。
そして、図３において矢印Ｙで示す方向に編地を形成していき、この編地部分を前後編地２ｃ，２ｄの内周面に全周に亘って連結することにより編地本体４ｂの内方に隔壁状編地部３ｄ，３ｅ，３ｆを形成する。
【００２６】
図４は、本実施例２に係る隔壁状編地部３ｄ，３ｅ，３ｆを編成する場合の編成方法をステップＢ１〜Ｂ３で示した説明図である。
本実施例２では、隔壁状編地部３ｄ，３ｅ，３ｆは三角内に数字が表示された２個のキャリア５，６を用いて編成する。
【００２７】
ステップＢ１は、編地本体４ｂを前後針床の編針を用いて各々針抜きで編成し、所定量の周回編成によって筒状に形成した後、隔壁状編地部３ｄ，３ｅ，３ｆを形成する際に、後針床Ｂの編針Ｂ〜Ｒに後編地２ｄの旧ループを、前針床Ｆの編針ａ〜ｑに前編地２ｃの旧ループを係止した状態で、キャリア５からの編糸を前後針床の空針即ち後針床ＢのＡ〜Ｑ及び前針床Ｆの編針ｂ〜ｒにわたって給糸して編み出し部分Ｗを形成する。
【００２８】
ステップＢ２は、ステップＢ１の編み出し部Ｗから後針床Ｂの編針Ａ〜Ｑ及び前針床Ｆの編針ｂ〜ｒにそれぞれ個別のキャリア５，６で給糸して左方に編成しながら引き返す状態を示す。
この編み出し部Ｗからの引き返し編成の際には、シンカーを利用することでより容易に編成することができる。
ステップＢ３は、各引き返し編成による編地部分のうち右端の編目を係止する後針床Ｂの編針Ｑ及び前針床Ｆの編針ｒについてタックし、左端の編目を係止する後針床Ｂの編針Ａ及び前針床Ｆの編針ｂについてニットしないことで編み幅を縮小した状態を示し、更に、このようにして徐々に編み幅を縮小して引き返し編成による編地部分を編成することで、隔壁状編地部３ｄ，３ｅ，３ｆを形成していく。
【００２９】
そして、略円形状の隔壁状編地部３ｄ，３ｅ，３ｆが形成された後、この引き返し編成による編地部分の編目を、該編目を係止する編針Ａ〜Ｑ及び編針ｂ〜ｒに隣接する編地本体４ｂの編目を係止している編針Ｂ〜Ｒ及び編針ａ〜ｑに、旧ループの預け置きが可能な複合針を用いて目移し、引き返し編成による編地部分の編目と前後編地２ｃ，２ｄの編目とを重ね合わせてニットすることで隔壁状編地部３ｄ，３ｅ，３ｆを編地本体４ｂの内周面に全周に亘って連結する。
尚、引き返し編成による編地部分の編目と編地本体４ｂの編目とは、目移しによる重ね合わせを行わずに、引き返し編成による編地部分の編目及び編地本体４ｂの編目を係止する全ての編針Ａ，Ｂ，Ｃ，・・・Ｒ及び編針ａ，ｂ，ｃ，・・・ｒをニットすることで引き返し編成による編地部分を編地本体４ｂの内周面に連結してもよい。
【００３０】
このようにして引き返し編成による編地部分を編地本体４ｂの内周面に全周に亘って連結することができ、編地本体４ｂの内方に隔壁状の編地を一連に編成する隔壁状編地部３ｄ，３ｅ，３ｆを形成することが可能となる。
（実施例３）
【００３１】
図５は、本実施例３に係る筒状編地１ｃの斜視図である。
本実施例３においても上記の実施例と同様に針抜き編成するもので、編地本体４ｃの内方に形成された隔壁状編地部３ｇ，３ｈ，３ｉは、前後編地２ｅ，２ｆ双方から分岐して引き返し編成を行い、その引き返し編成による編地を矢印Ｚで示す方向に形成しつつ編み幅を変更させ、隔壁状編地部３ｇ，３ｈ，３ｉの中央部Ｖとなる位置で前後針床Ｆ，Ｂでそれぞれ編成された引き返し編成による編地部分を接続している。
【００３２】
図６は、本実施例３に係る隔壁状編地部３ｇ，３ｈ，３ｉを編成する場合の編成方法をステップＣ１〜Ｃ３で示した説明図であり、本実施例３では、三角内に数字が表示された２個のキャリア５，６を用いて隔壁状編地部３ｇ，３ｈ，３ｉを編成する。
【００３３】
ステップＣ１は、編地本体４ｃを前後針床Ｆ，Ｂの編針を用いて各々針抜きで編成し、所定量の周回編成によって筒状に形成した後、隔壁状編地部３ｇ，３ｈ，３ｉを形成する際に、後編地２ｆを係止する後針床Ｂの編針Ａ〜Ｒをニットすることで、後針床Ｂの空針Ａ〜Ｑは掛目となり、また、前編地２ｅを係止する前針床Ｆの編針ａ〜ｒをニットすることで、前針床Ｆの空針ｂ〜ｒは掛目となる状態を示している。
【００３４】
そして、ステップＣ２は、後針床Ｂの編針Ａ，Ｃ，Ｅ，Ｇ，Ｉ，Ｋ及び前針床Ｆのｂ，ｄ，ｆ，ｈ，ｊについて、個別のキャリア５，６で給糸して編成しながら右方に引き返す状態を示し、その後実施例１のステップＡ３〜Ａ７と同様に引き返し編成による編地の編み幅を変更させる。
ここで、実施例１においては引き返し編成を前針床Ｆのみで行ったが、本実施例３では２個のキャリア５，６を用いた引き返し編成を前後針床Ｆ，Ｂでそれぞれ行う。
【００３５】
ステップＣ３は、引き返し編成が後針床Ｂの編針Ａ〜Ｑ及び前針床Ｆの編針ｂ〜ｒを用いて行われ、この引き返し編成による編地部分が隔壁状編地部３ｇ，３ｈ，３ｉの中央部Ｚとなる位置まで形成された状態を示す。
そして、ステップＣ３において対向している前後針床Ｆ，Ｂの編針に係止する編目を一般的な方法による伏せ目処理を行うことで、前後編地２ｅ，２ｆからそれぞれ分岐して形成された引き返し編成による編地を隔壁状編地部３ｄ，３ｅ，３ｆの中央部Ｖで接続することができ、これにより、引き返し編成による編地部分を編地本体４ｂの内周面に全周に亘って連結した隔壁状編地部３ｄ，３ｅ，３ｆを形成することが可能となる。
【００３６】
尚、上記実施例１〜３においては針床を前後２枚有する２枚ベッドの横編機を用いて針抜き編成を行ったが、本発明に係る隔壁状編地部を有する筒状編地およびその編成方法はこれに限定されず、針床を４枚有するいわゆる４枚ベッドの横編機を用いて編成してもよい。
また、隔壁状の編地部分は略円形状としたが、ステップＡ３〜Ａ７，Ｂ２，Ｂ３，Ｃ２，Ｃ３の引き返し編成に用いる編針を自由に変更することで、楕円形状、半円状、多角形状等の他の形状としてもよい。
また、上記実施例１〜３では筒状編地１ａ，１ｂ，１ｃ側面に開口部を設けなかったが、所望により、例えば、筒状編地の側面中央部等に、Ｃ字状に往復する編成を繰り返すことで開口部を設ける等してもよく、このように開口部を設けることで、筒状編地を内部が隔壁状に仕切られた鞄などにすることができる。
【図面の簡単な説明】
【００３７】
【図１】本発明の一実施形態に係る隔壁状編地部を有する筒状編地の斜視図である。
【図２】前記筒状編地の編成図である。
【図３】本発明の他の実施形態に係る隔壁状編地部を有する筒状編地の斜視図である。
【図４】前記筒状編地の編成図である。
【図５】本発明の別の実施形態に係る隔壁状編地部を有する筒状編地の斜視図である。
【図６】前記筒状編地の編成図である。
【図７】従来の隔壁状編地部を有する筒状編地の斜視図である。
【符号の説明】
【００３８】
１ａ，１ｂ，１ｃ  筒状編地
２ａ，２ｃ，２ｅ  前編地
２ｂ，２ｄ，２ｆ  後編地
３ａ，３ｂ，３ｃ，３ｄ，３ｅ，３ｆ，３ｇ，３ｈ，３ｉ  隔壁状編地部
４ａ，４ｂ，４ｃ  編地本体
５，６  キャリア
【図１】
2009155750.tif 000003
【図２】
2009155750.tif 000004
【図３】
2009155750.tif 000005
【図４】
2009155750.tif 000006
【図５】
2009155750.tif 000007
【図６】
2009155750.tif 000008
【図７】
2009155750.tif 000009